(57)【要約】【課題】重量のあるロールも支持でき、効率的にロールからシートを取り出せるロール支持装置を提供する。【解決手段】ロール支持装置１は、中央に向かって凹となるように切り欠かれた一対の側壁１１と、側壁１１に中央に向かって凹となるように配置される複数のローラと、側壁１１を固定する桟１３と、を備える。複数のローラが中央に向かって凹となるように配置されているため、ロールからシートを出し続けることによってロールの外径が変わっても、ロール支持装置１はいずれかのローラと接触するように自重によって下方に移動する。従って、ロール支持装置１によればロールからシートを効率よく取り出すことができる。【選択図】図１
2018070370.tif 000002
【特許請求の範囲】
【請求項１】
中央に向かって凹となるように切り欠かれた一対の側壁と、
前記側壁に中央に向かって凹となるように配置される複数のローラと、
前記側壁を固定する桟と、
を備えるロール支持装置。
【請求項２】
前記ローラは、
総数が４以上の偶数である請求項１に記載のロール支持装置。
【請求項３】
前記側壁は、
階段状に切り欠かれる請求項１又は請求項２に記載のロール支持装置。
【請求項４】
前記側壁を支持する脚部と、
前記脚部に取り付けられ、両端部が上方に反り上がったソリ板と、
をさらに備える請求項１から請求項３までのいずれか１項に記載のロール支持装置。
【請求項５】
前記側壁、前記ローラ、及び前記桟は分解、組み立てが可能である請求項１から請求項４までのいずれか１項に記載のロール支持装置。
【請求項６】
前記ローラは、
側面視において左右対称に配置される請求項１から請求項５までのいずれか１項に記載のロール支持装置。
【発明の詳細な説明】
【技術分野】
【０００１】
本発明は、ロール支持装置に関する。
【背景技術】
【０００２】
ロール状に巻かれたシートをロールから取り出すには、ロールを指示するロール支持装置が用いられる。特に、ロールの大きさが大きく、重量が重い場合、作業を効率的に行うためにはロール支持装置必要となる。
【０００３】
例えば、トンネル工事に用いられ、トンネル内部の岩盤を覆うように取り付けられる防水シートは、幅が数メートル、長さが数十メートルにもなるため、ロールの重さは１００ｋｇを超えるものとなる。従来、この防水シートのロールには芯材が使用されており、この芯材を両側から支持することによりロールからシートを取り出していた。
【０００４】
しかし、昨今の省資源の要請や廃棄物の低減の要請により、芯材を使用しないように要求される場合が出てきた。
【０００５】
この点に関し、ロールを回転可能な無端状のシートにのせて支持するロール支持装置が提案されている。
【０００６】
しかし、この装置では１００ｋｇを超えるような重いロールは支持できない。
【先行技術文献】
【特許文献】
【０００７】
【特許文献１】特許第４５３７３０３号公報
【発明の概要】
【発明が解決しようとする課題】
【０００８】
本発明の解決しようとする課題は、重量のあるロールも支持でき、効率的にロールからシートを取り出せるロール支持装置を提供することである。
【課題を解決するための手段】
【０００９】
本発明は、中央に向かって凹となるように切り欠かれた一対の側壁と、前記側壁に中央に向かって凹となるように配置される複数のローラと、前記側壁を固定する桟と、を備えるロール支持装置を提供する。
【発明の効果】
【００１０】
本発明によれば、重量のあるロールも支持でき、効率的にロールからシートを取り出せるロール支持装置を提供することができる。
【図面の簡単な説明】
【００１１】
【図１】ロール支持装置の斜視図。
【図２】ロール支持装置の側面図。
【図３】ロール支持装置の正面図。
【発明を実施するための形態】
【００１２】
以下、本発明の一実施形態に係るロール支持装置１を、図面を参照しながら説明する。
【００１３】
図１は、本実施形態に係るロール支持装置１の斜視図、図２はロール支持装置１の側面図、図３はロール支持装置１の正面図である。図１から図３までに示すように、ロール支持装置１は、中央に向かって凹となるように階段状に対向して配置される複数のローラである上位ローラ１２Ａ、中位ローラ１２Ｂ、及び下位ローラ１２Ｃと、複数のローラを支持する一対の側壁１１と、側壁１１を支持する脚部１４と、を備える。
【００１４】
各ローラはロール支持装置１の側面視において左右対称に配置されることが、前後方向を気にせずに使用できる点から望ましい。
【００１５】
上位ローラ１２Ａ、中位ローラ１２Ｂ、及び下位ローラ１２Ｃは互いに同じ構成を有する。上位ローラ１２Ａ、中位ローラ１２Ｂ、及び下位ローラ１２Ｃは回転軸に配置される軸部と、軸部の回転軸周りに、軸部よりやや短く配置されるローラ本体部と、ローラ本体部から突出する軸部の長手方向両端部に取り付けられる抜け止め部１８と、を備える。
【００１６】
側壁１１は、側面視が中央に向かって凹となるように、階段状に形成される。具体的には、側壁１１は、上位ローラ１２Ａが取り付けられる上位ローラ取り付け部と、上位ローラ１２Ａの取り付け部から下方に切り欠かれた上位切り欠き部１１Ａと、上位切り欠き部１１Ａの内側端部に設けられ、中位ローラ１２Ｂが取り付けられる中位ローラ取り付け部と、中位ローラ取り付け部から下方に切り欠かれた中位切り欠き部１１Ｂと、中位切り欠き部の内側端部に設けられ、下位ローラ１２Ｃが取り付けられる下位ローラ取り付け部と、下位ローラ取り付け部から下方に切り欠かれた下位切り欠き部１１Ｃと、を備える。
【００１７】
上位切り欠き部１１Ａ、中位切り欠き部１１Ｂ、及び下位切り欠き部１１Ｃは、各ローラの内接円よりも外側に切り欠かれる。このため、ロール支持装置１の側面視は階段状となる。ロールに芯材がない場合、ロールはしっかりと巻かれず、全体として巻きが緩やかにある。このような場合であっても、上位切り欠き部１１Ａ、中位切り欠き部１１Ｂ、及び下位切り欠き部１１Ｃが、各ローラの内接円よりも外側に切り欠かかれ、側面視が階段状となっていれば、シートの側壁１１への接触を低減させることができ、シートを引き出す際の摩擦抵抗を減らすことが可能となる。
【００１８】
上位ローラ取り付け部、中位ローラ取り付け部、及び下位ローラ取り付け部は、各ローラの軸部の外径とほぼ等しい内径を有する切り欠きが設けられ、この切欠きに各ローラの軸部が嵌め込まれる。各軸部が嵌め込まれた後、フック状の抑え部材１７が上方から回動して軸部が回転可能に抑え込まれる。
【００１９】
一対の側壁１１は、桟１３によって固定される。下方の桟１３はアングル鋼が用いられ、上方の桟１３は両端部が折り曲げられた板状部材が用いられる。情報の桟１３にはパイプを固定するためのパイプ固定部１６がそれぞれ２つずつ設けられる。
【００２０】
このパイプ固定部１６は、ロール支持装置１を複数台並べて使用する場合に、各ロール支持装置１の位置決めを行うために、各ロール支持装置１にパイプを渡して固定するものである。
【００２１】
脚部の下端にはソリ板１５が取り付けられる。ソリ板１５は、両端部が上方に反り上がった板状の部材である。このソリ板１５は脚部１４が地面に潜り込むことを防ぐとともに、ロール支持装置１を滑らせて移動させるためのものである。
【００２２】
各ローラ、側壁１１、脚部１４、桟１３、及びソリ板１５はそれぞれ着脱可能に形成される。従って、運搬する場合には、分解して運び、使用場所において組み立てて使うことが可能である。分解して運搬することにより、運搬作業も、運搬費用も安くなる。また、各構成部品の一部に不具合が生じた場合にも、その部品のみを容易に交換することができる。
【００２３】
次に、ロール支持装置１の使用方法について説明する。ロール支持装置１は、側壁がそれぞれ対向するように複数台並べて使用される。ロールはロールの長手方向が各ローラの長手方向と平行になるように、つまりロールが階段状に並んだ各ローラの内側に嵌まり込むように、ロール支持装置１に載置される。
【００２４】
この状態において、シートをロールから取り出し続けるとロールの外径が次第に小さくなる。初めのうちは、ロールは上位ローラ１２Ａ、中位ローラ１２Ｂ、及び下位ローラ１２Ｃによって支持される。次第にロールの外形が小さくなると、ロールは中位ローラ１２Ｂ、及び下位ローラ１２Ｃによって支持される。さらにロールの外径が小さくなると、ロールは下位ローラ１２Ｃによって支持される。
【００２５】
つまり、複数のローラが中央に向かって凹となるように配置されているため、ロールからシートを出し続けることによってロールの外径が変わっても、ロール支持装置１はいずれかのローラと接触するように自重によって下方に移動する。従って、ロール支持装置１によればロールからシートを効率よく取り出すことができる。
【００２６】
なお、ローラの総数は４以上の偶数であることがコスト削減の点から望ましい。また、全体の材質はロールの重量に耐えうる金属であることが望ましい。
【００２７】
以上述べたように、本実施形態のロール支持装置１は、中央に向かって凹となるように切り欠かれた一対の側壁１１と、側壁１１に中央に向かって凹となるように配置される複数のローラと、側壁１１を固定する桟１３と、を備える。
【００２８】
従って、本実施形態のロール支持装置１によれば、重量のあるロールも支持でき、効率的にロールからシートを取り出せるという効果がある。
【符号の説明】
【００２９】
１  ロール支持装置
１１  側壁
１１Ａ  部
１１Ｂ  部
１１Ｃ  部
１２Ａ  上位ローラ
１２Ｂ  中位ローラ
１２Ｃ  下位ローラ
１３  桟
１４  脚部
１５  ソリ板
１６  パイプ固定部
１７  抑え部材
１８  抜け止め部
【図１】
2018070370.tif 000003
【図２】
2018070370.tif 000004
【図３】
2018070370.tif 000005